【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
物体の質感を再現するための処理を行う画像処理装置であって、
再現する物体の少なくとも光沢情報を入力する入力手段と、
ユーザインタフェイスを介したユーザからの指示に応じて、前記光沢情報のマッピング方法を取得する取得手段と、
前記マッピング方法に基づき、前記光沢情報を質感再現装置が光沢を再現可能な光沢再現範囲にマッピングするマッピング手段と、
を有することを特徴とする画像処理装置。
【請求項２】
前記入力手段は、さらに、前記物体の色情報を入力し、
前記マッピング手段は、さらに、前記色情報を前記質感再現装置の色再現範囲にマッピングすることを特徴とする請求項１に記載された画像処理装置。
【請求項３】
さらに、前記マッピング手段によるマッピング後の前記光沢情報に基づき、前記質感再現装置に出力する出力信号を生成する生成手段を有することを特徴とする請求項１または請求項２に記載された画像処理装置。
【請求項４】
さらに、前記マッピング手段によるマッピング後の前記光沢情報に基づき、記録媒体上に複数の記録材を記録する記録手段を有することを特徴とする請求項１または請求項２に記載された画像処理装置。
【請求項５】
前記生成手段は、
前記質感再現装置のデバイス特性テーブルを参照して、前記マッピング手段によるマッピング後の前記光沢情報を、前記質感再現装置の複数の記録材の量に対応する記録材量信号と、前記質感再現装置における記録方法を示す記録方法信号と、に変換する変換手段と、
前記記録材量信号にハーフトーン処理を施すハーフトーン処理手段と、
前記記録方法信号に基づき、前記出力信号として、前記ハーフトーン処理後の記録材量信号から前記複数の記録材のドット配置を示すドット配置信号を生成する出力信号生成手段と、
を有することを特徴とする請求項３に記載された画像処理装置。
【請求項６】
前記出力信号生成手段は、前記記録方法信号が示す記録パス数に基づき、前記ハーフトーン処理後の記録材量信号に対してパス分解処理を行うことによって、記録パスごとの前記ドット配置信号を生成することを特徴とする請求項５に記載された画像処理装置。
【請求項７】
さらに、複数の記憶領域を有し、前記記録パスに対応する記憶領域に当該記録パスの前記ドット配置信号を記憶するバッファ手段を有することを特徴とする請求項６に記載された画像処理装置。
【請求項８】
前記バッファ手段の複数の記憶領域に記憶されたドット配置信号は、順次、前記質感再現装置に出力される請求項７に記載された画像処理装置。
【請求項９】
前記質感再現装置は、各記録パスのドット配置信号に基づき前記複数の記録材のドットを記録する主走査を、単位記録領域において、一回から所定回数の範囲で繰り返すことを特徴とする請求項７または請求項８に記載された画像処理装置。
【請求項１０】
前記単位記録領域は、前記質感再現装置が一主走査で記録可能な領域に相当することを特徴とする請求項９に記載された画像処理装置。
【請求項１１】
前記質感再現装置は、前記複数の記録材として複数の色材および複数の光沢調整材を有することを特徴とする請求項４から請求項１０の何れか一項に記載された画像処理装置。
【請求項１２】
さらに、少なくとも光沢再現範囲を示す情報、および前記デバイス特性テーブルを格納する格納手段を有することを特徴とする請求項５から請求項１０のいずれか一項に記載の画像処理装置。
【請求項１３】
前記マッピング方法には、鏡面光沢度を重視するマッピング方法と像鮮明度を重視するマッピング方法とが含まれることを特徴とする請求項１から請求項１２の何れか一項に記載された画像処理装置。
【請求項１４】
前記マッピング方法には、鏡面光沢度の均一性を重視するマッピング方法と像鮮明度の均一性を重視するマッピング方法とが含まれる請求項１から請求項１２の何れか一項に記載された画像処理装置。
【請求項１５】
前記鏡面光沢度の均一性または前記像鮮明度の均一性を重視するマッピング方法に従う場合、前記マッピング手段は、注目画素の近傍の光沢信号の平均値を取得し、前記注目画素の近傍における前記光沢再現範囲を示す上限値と下限値とを取得し、前記平均値が前記光沢再現範囲に含まれる場合は前記注目画素の光沢信号を前記平均値にマッピングすることを特徴とする請求項１４に記載された画像処理装置。
【請求項１６】
前記平均値が前記光沢再現範囲に含まれない場合、前記マッピング手段は、前記平均値が前記上限値以上の場合は前記注目画素の光沢信号を前記上限値にマッピングし、前記平均値が前記上限値未満の場合は前記注目画素の光沢信号を前記下限値にマッピングすることを特徴とする請求項１５に記載された画像処理装置。
【請求項１７】
前記注目画素の近傍の前記光沢再現範囲が共通範囲をもたない場合、前記マッピング手段は、前記注目画素の近傍の光沢信号を前記上限値にマッピングした場合の第一の評価値を算出し、前記注目画素の近傍の光沢信号を前記下限値にマッピングした場合の第二の評価値を算出し、前記第一および第二の評価値に基づき、前記注目画素の光沢信号を前記上限値または下限値にマッピングすることを特徴とする請求項１５または請求項１６に記載された画像処理装置。
【請求項１８】
前記マッピング方法には、鏡面光沢度の階調性を重視するマッピング方法と像鮮明度の階調性を重視するマッピング方法とが含まれることを特徴とする請求項１から請求項１２の何れか一項に記載された画像処理装置。
【請求項１９】
前記鏡面光沢度の階調性または像鮮明度の階調性を重視するマッピング方法に従う場合、前記マッピング手段は、注目画素の近傍の光沢信号の差を示す光沢差を取得し、前記注目画素の近傍において再現可能な最大光沢値と最小光沢値の差を示す再現光沢差を取得し、前記再現光沢差が前記光沢差以上の場合は前記光沢信号の最大値が前記最大光沢値にマッピングされ、前記光沢信号の最小値が前記最小光沢値にマッピングされるように前記マッピングを調整する請求項１８に記載された画像処理装置。
【請求項２０】
前記再現光沢差が前記光沢差未満の場合、前記マッピング手段は、前記光沢差を再現することができない旨の警告メッセージを発することを特徴とする請求項１９に記載された画像処理装置。
【請求項２１】
物体の質感を再現するための画像処理方法であって、
再現する物体の光沢情報を入力し、
ユーザインタフェイスを介したユーザからの指示に応じて、前記光沢情報のマッピング方法を取得し、
前記マッピング方法に基づき、前記光沢情報を質感再現装置が光沢を再現可能な光沢再現範囲にマッピングすることを特徴とする画像処理方法。
【請求項２２】
コンピュータを請求項１から請求項３の何れか一項または請求項５から請求項２０のいずれか一項に記載された画像処理装置の各手段として機能させるためのプログラム。
【手続補正２】
【補正対象書類名】明細書
【補正対象項目名】０００８
【補正方法】変更
【補正の内容】
【０００８】
本発明の係る物体の質感を再現するための処理を行う画像処理装置は、再現する物体の少なくとも光沢情報を入力する入力手段と、ユーザインタフェイスを介したユーザからの指示に応じて、前記光沢情報のマッピング方法を取得する取得手段と、前記マッピング方法に基づき、前記光沢情報を質感再現装置が光沢を再現可能な光沢再現範囲にマッピングするマッピング手段とを有する。